【事件の表示】
　特許第２８０３２４９号「インクジェット記録装置」の請求項１ないし３に係る特許に対する特許異議の申立てについて、次のとおり決定する。
【結論】
　訂正を認める。
　特許第２８０３２４９号の請求項１に係る特許を維持する。
【理由】
Ｉ．手続の経緯
　本件特許第２８０３２４９号の発明は、平成１年１１月１８日に出願され、平成１０年７月１７日にその特許権の設定の登録がなされ、関恵美子より特許異議の申し立てがなされ、取消理由通知がなされ、その指定期間内である平成１１年９月２２日に特許請求の範囲及び発明の詳細な説明について訂正請求がなされた後、訂正拒絶理由が通知され、その指定期間内である平成１１年１２月２日に訂正請求書について手続補正書が提出されたものである。
ＩＩ．訂正の適否についての判断
（１）訂正請求に対する補正の適否について
　特許権者は、訂正明細書中の特許請求の範囲の
「【請求項１】搬送される記録紙に対してインクを吐出し記録を行うインク吐出部と、該インク吐出部にインクを供給するインク溜めとを備えたインクジェット記録装置であって、前記インク吐出部と前記インク溜めとを前記記録紙の搬送方向に並設するとともに、前記インク溜めを前記インク吐出部に対し前記記録紙の搬送方向下手側に配置し、前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置するインクジェット記録装置。
　【請求項２】前記インク溜めから前記インク吐出部に、常温で固体のインクを加熱液化して供給する特許請求の範囲第１項記載のインクジェット記録装置。
　【請求項３】前記インク吐出部と前記インク溜めとを水平方向に配設した特許請求の範囲第１項記載のインクジェット記録装置。」を
　「【請求項１】搬送される記録紙に対してインクを吐出し記録を行うインク吐出部と、該インク吐出部に常温で固体のインクを加熱液化して供給するインク溜めとを備えたインクジェット記録装置であって、
　前記インク吐出部と前記インク溜めとを前記記録紙の搬送方向に並設するとともに、前記インク溜めを前記インク吐出部に対し前記記録紙の搬送方向下手側に配置し、前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置するインクジェット記録装置。」と補正（訂正事項ａの補正）すると共に、これに伴い、特許請求の範囲の記載との整合を図るために、訂正明細書の発明の詳細な説明と図面の簡単な説明を補正（訂正事項ｂの補正、訂正事項ｃの追加）するものである。
　そこで上記補正について検討すると、
　上記訂正事項ａの補正は、訂正明細書の特許請求の範囲の請求項１の「インク」を「常温で個体のインク」と限定すると共に請求項２乃至３を削除するもので、上記訂正明細書の特許請求の範囲の減縮に相当し、また、上記訂正事項ｂの補正は、上記訂正事項ａの補正に伴い、訂正明細書の発明の詳細な説明の記載を特許請求の範囲の記載と整合させるものであるから、明りょうでない記載の釈明に相当し、さらに、訂正事項ｃの追加は、本件発明を特定する事項である「インク溜めを前記インク吐出部に対し記録紙の搬送方向下手側に配置し」という事項を具備していない、第３図に示されるもの（インク溜めを前記インク吐出部に対し記録紙の搬送方向上手側に配置してある）を、本件発明の他の実施例として、発明の詳細な説明および図面の簡単な説明に記載していた誤りを訂正したもので、不明りょうな記載の釈明に相当する。
　従って、当該訂正請求に対する補正は、訂正請求書の要旨を変更するものでなく、特許法１２０条の４第３項において準用する同法第１３１条第２項の規定に適合する。
（２）訂正の内容
　特許権者が求めている訂正の内容は、以下のとおりである（訂正個所にアンダーラインを付した。）。
▲１▼訂正事項ａ
特許請求の範囲の
「【請求項１】搬送される記録紙に対してインクを吐出し記録を行うインク吐出部と、該インク吐出部にインクを供給するインク溜めとを備えたインクジェット記録装置であって、前記インク吐出部と前記インク溜めとを前記記録紙の搬送方向に並設するとともに、前記インク溜めを前記インク吐出部に対し前記記録紙の搬送方向下手側に配置したインクジェット記録装置。
　【請求項２】前記インク溜めから前記インク吐出部に、常温で固体のインクを加熱液化して供給する特許請求の範囲第１項記載のインクジェット記録装置。
　【請求項３】前記インク吐出部と前記インク溜めとを水平方向に配設した特許請求の範囲第１項記載のインクジェット記録装置。」を、
「【請求項１】搬送される記録紙に対してインクを吐出し記録を行うインク吐出部と、該インク吐出部に
常温で固体のインクを加熱液化して
　前記インク吐出部と前記インク溜めとを前記記録紙の搬送方向に並設するとともに、前記インク溜めを前記インク吐出部に対し前記記録紙の搬送方向下手側に配置し、
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
▲２▼訂正事項ｂ
　発明の詳細な説明の「本発明のインクジェット記録装置は、搬送される記録紙に対してインクを吐出し記録を行うインク吐出部と、該インク吐出部にインクを供給するインク溜めとを備えたインクジェット記録装置であって、前記インク吐出部と前記インク溜めとを前記記録紙の搬送方向に並設するとともに、前記インク溜めを前記インク吐出部に対し前記記録紙の搬送方向下手側に配置したことを特徴とする。
　また、前記インク溜めから前記インク吐出部に、常温で固体のインクを加熱液化して供給することを特徴とする。
　また、前記インク吐出部と前記インク溜め部とを水平方向に配設したことを特徴とする。」（特許公報第２頁第３欄第１５〜２７行）を、
「本発明のインクジェット記録装置は、搬送される記録紙に対してインクを吐出し記録を行うインク吐出部と、該インク吐出部に
常温で固体のインクを加熱液化して
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
▲３▼訂正事項ｃ
　発明の詳細な説明および図面の簡単な説明の「第３図は本発明の他の実施例を示す」（特許公報第３頁第５欄第１６行および第６欄第１８行にそれぞれ記載。）を、「第３図は
参考例
（３）訂正の目的の適否、新規事項の有無及び拡張・変更の存否
　上記訂正事項ａに関連する記載として、願書に添付した明細書には、「１６はインク１３をリザーバ１１からインク吐出部Ａまで毛細管力により引き上げる２スリット板で、複数の薄板がせまい間隙を保って並設されている。」（特許公報第２頁第３欄末行〜第４欄第２行）および「まずヒータ１２に電力が供給されてリザーバ１１内のインク１３が溶融液化する。」（特許公報第２頁第４欄第３２〜３３行）と記載されている。
　そうすると、上記訂正事項ａは、願書に添付した明細書に記載された事項の範囲内において特許請求の範囲の「インク」と「インクを供給する」の各構成を限定したものといえるから、特許請求の範囲の減縮に該当するものであって、新規事項の追加に該当せず、また、実質上特許請求の範囲を拡張し、又は変更するものでない。
　また、上記訂正事項ｂ乃至ｃは、上記（１）で述べたように、いずれも、明りょうでない記載の釈明を目的とするものであり、新規事項の追加に該当せず、実質的に特許請求の範囲を拡張又は変更するものでない。
（４）独立特許要件の判断
▲１▼訂正発明
　訂正明細書の請求項１に係る発明（以下、「訂正発明」という。）は、上記ＩＩ（２）▲１▼の訂正事項ａにより訂正された事項により特定されるとおりのものである。
▲２▼引用刊行物
　当審が通知した取消理由で引用した刊行物１（特開昭５９−１６２０５８号公報）には、「第１図に於いて感熱インク８を蓋７を明けて気密容器１に入れる。・・・ヒーター３を図示してない電極により通電して発熱させると感熱インク８の下部は溶融しその一部は発熱素子２に流動する。発熱素子２には貫通孔が明けてあり、溶融加熱インクは流動して貫通孔をふさぎ放熱冷却して固体となる。つぎに一般には複数個の発熱素子２を画像信号に応じて選択的に図示してない電極によりパルス電流を通電して発熱させるとその部分の感熱インクが溶融する。・・・パルス発生機１７は電磁ソレノイド１３を周期的に通電するためダイヤフラム１２を周期的に左右に駆動する。そのため気密容器１内の空気圧は空気弁１４の働きで大気圧より高い範囲で周期的に変化する。その空気圧により溶融感熱インクが記録部材９に向って射出され冷却、固化しドットとして記録される。」（第２頁右上欄第９行〜左下欄第１０行）と記載され、第１図（Ａ）に画像記録装置の全体構成を示す模型図が記載されている。
▲３▼対比・判断
　訂正発明と上記引用刊行物に記載された発明とを対比すると、上記引用刊行物には、訂正発明を特定する事項である「前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する」点が記載されておらず、また、その示唆もない。
　そして、訂正発明は、この点を備えることにより、明細書に記載された作用効果を奏するものと認められるから、訂正発明が上記引用刊行物に記載された発明と同一といえないばかりでなく、上記引用刊行物に記載された発明に基づいて当業者が容易に発明をすることができたものともいえない。
　したがって、訂正発明は、特許出願の際独立して特許を受けることができない発明とすることができない。
　尚、異議申し立ての理由については後述する。
▲４▼むすび
　以上のとおりであるから、上記訂正請求は、特許法１２０条の４第２項及び同条第３項で準用する第１２６条第２乃至４項の規定に適合するので、当該訂正を認める。
ＩＩＩ．特許異議申し立てについての判断
（１）申立の理由の概要
　異議申立人関恵美子は、証拠として、甲第１号証（特開昭５９−１６２０５８号公報＝上記引用刊行物）、および参考資料として特開昭６３−１１８２６０号公報を提出し、本件請求項１乃至３に係る発明は、甲第１号証に記載された発明と同一であるか、または、同号証に記載された発明に基づき当業者が容易に発明をすることができたものであるから、特許法第２９条第１項第３号に規定する発明に該当し、同法第２９条第１項または同法第２９条第２項の規定により特許を受けることができないものである旨主張している。
（２）判断
　甲第１号証は、上記ＩＩ．（４）▲２▼の引用刊行物であり、また、上記参考資料には、インク供給部に毛細管力のあるものを用いることが記載されているものの、結局、甲第１号証および参考資料のいずれにも、上記ＩＩ．（４）▲３▼「対比・判断」で示した「特定する事項」については記載も示唆もなく、この主張についての判断も該「対比・判断」で示したとおりである。
　ゆえに、特許異議申立人の主張は採用できない。
ＩＶ．むすび
　以上のとおりであるから、特許異議申し立ての理由及び証拠方法によっては、本件請求項１に係る発明の特許を取り消すことができない。
　また、他に本件請求項１に係る発明の特許を取り消すべき理由を発見しない。
　よって、結論のとおり決定する。
【異議決定日】
平成１１年１２月１０日（１９９９．１２．１０）
【訂正の要旨】
　訂正の要旨
　特許権者が求めている訂正の内容は、以下のとおりである。
▲１▼訂正事項ａ
特許請求の範囲を、
「【請求項１】搬送される記録紙に対してインクを吐出し記録を行うインク吐出部と、該インク吐出部に
常温で固体のインクを加熱液化して
　前記インク吐出部と前記インク溜めとを前記記録紙の搬送方向に並設するとともに、前記インク溜めを前記インク吐出部に対し前記記録紙の搬送方向下手側に配置し、
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
▲２▼訂正事項ｂ
　発明の詳細な説明の「本発明のインクジェット記録装置は、・・・したことを特徴とする。」（特許公報第２頁第３欄第１５〜２７行）を、
「本発明のインクジェット記録装置は、搬送される記録しに対してインクを吐出し記録を行うインク吐出部と、該インク吐出部に
常温で固体のインクを加熱液化して
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
▲３▼訂正事項ｃ
　発明の詳細な説明および図面の簡単な説明の「第３図は本発明の他の実施例を示す」（特許公報第３頁第５欄第１６行および第６欄第１８行にそれぞれ記載。）を、「第３図は
参考例
（５４）【発明の名称】
インクジェット記録装置
（５７）【特許請求の範囲】
　【請求項１】
　搬送される記録紙に対してインクを吐出し記録を行うインク吐出部と、該インク吐出部に
常温で固体のインクを加熱液化して
　前記インク吐出部と前記インク溜めとを前記記録紙の搬送方向に並設するとともに、前記インク溜めを前記インク吐出部に対し前記記録紙の搬送方向下手側に配置し、
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
【発明の詳細な説明】
　【発明の属する技術分野】
　本発明は常温で固体のインク（ホットメルトインク）を溶融し、液体状態でインク滴を飛翔させ記録紙上にインク像を形成するインクジェット方式の記録装置に関し、更に詳しくは同装置に用いられるインクジェットヘッドに関する。
　【従来の技術】
　一般に、ホットメルトインクを用いたインクジェット記録装置によれば、紙種対応性が高く、休止時のインク蒸発による目詰まりの発生が無い装置が実現できるというメリットを有する。そして従来、この種の装置に用いられるインクジェットヘッドは、搬送される記録紙に対してインクを吐出するインク吐出部と、このインク吐出部に、ホットメルトインクを加熱液化して供給するインクリザーバとを有しており、インクリザーバを前記インク吐出部に対し記録紙より遠ざける方向に配した構造となっていた。（ＵＳＰ４６３１５５７，ＵＳＰ４６３６８０３等）
　【発明が解決しようとする課題】
　上記従来技術のインクジェットヘッドの構造では、加熱液化したインクが冷たい記録紙に付着すると同時に熱を奪われ、液体から固体に相対化してしまうため、インクが充分に記録紙に浸透できず、その結果記録紙に付着したインクが容易に記録紙から剥がれてしまい安定した印字結果が得られないという問題点を有していた。
　本発明の目的は、上記問題点を解決して印字後のインクの剥がれを防ぎ、安定した印字結果が得られるようにすることにある。
　【課題を解決するための手段】
　本発明のインクジェット記録装置は、搬送される記録紙に対してインクを吐出し記録を行うインク吐出部と、該インク吐出部に
常温で固体のインクを加熱液化して
前記インク吐出部と前記インク溜めとの間に、前記インク吐出部の下方に位置するとともに前記インク溜めから供給されるインクを毛細管力により前記インク吐出部まで上昇させるスリット板を設け、前記記録紙は前記インク吐出部の上方に位置する
　【実施例】
　次に実施例に基づいて詳細に説明する。
　第１図は本発明の一実施例を示すインクジェットヘッドの断面図である。同図において記録紙１は送りローラ２と押えローラ３に挟持され図中矢印イ方向に搬送される。４はテンションローラで、ヘッド上で記録紙１がたるまぬように記録紙１に張力を与えている。ガイド軸６に案内され第１図紙面に垂直な方向に移動可能なキャリッジ５上にヘッドの国体１０が搭載されている。図において、匡体１０の左方上部にはインク吐出部Ａが設けられており、右方にはインクリザーバ（以下、リザーバという）１１が形成されている。尚、本実施例では匡体１０がリザーバ１１を兼ねた構造となっている。リザーバ１１は、底面からヒータ１２により加熱され、内部のインク１３を液体状態に保つ。１４はインク補充用開口部のキャップである。記録紙１はキャップ１４に接しないように１〜２ｍｍのギャップを保ってキャップ１４の真上を通過する。
　インク吐出部Ａはヘッド最上部に設けられ、第２図にも示すように、複数のノズル１９ａを有するノズル形成基板１９とインクを吐出させる圧電変換器１８とを備えている。圧電変換器１８は、ベース１７を介して匡体１０に固定されている。また、インク吐出部Ａの上面には保護板２０が設けられている。１６はインク１３をリザーバ１１からインク吐出部Ａまで毛細管力により引き上げる２スリット板で、複数の薄板がせまい間隔を保って並設されている。スリット板１６の最下部にはフィルタ１５が設けられ、インク１３のゴミ等を除去する。
　第２図は第１図に示したインク吐出部Ａの周辺の詳細構成図を示す。片持ち梁状の圧電変換器１８は、ＰＺＴよりなる、片面にＡｕ薄層の電極を有する圧電材層１８ａと、ＰＺＴと熱膨張係数がほぼ等しい合金であるインバー薄層よりなる金属層１８ｂとからなる多層構造を成し、やはりＰＺＴと熱膨張係数がほぼ等しいセラミック部材からなるベース１７に接合されている。絶縁材であるベース１７は電気接続される電極パターン１７ａが上面に施されている。そして、圧電変換器１８の電極を外部の駆動回路に接続するために、前記電極パターン１７ａと、この電極パターン１７ａに対向して対応する配線パターンを有するフレキシブル基板３１とがそれぞれ導通をとりながら接合されている。各圧電変換器１８とも共通電位に保つための電極は、上述の面と反対側にある金属１８ｂの面にスペーサ２２を接合する際に電気接続されて配線される。一方、Ｎｉの電鋳加工により作成された、複数のノズル１９ａを有するノズル形成基板１９はスペーサ２２により圧電変換器１８と所定の間隙を保ってこれと接合されている。
　２０は上記のノズル形成基板１９、圧電変換器１８、フレキシブル基板３１等インク吐出部を構成する各部材を保護する保護板で、その係止部２０ａを匡体１０の被係止部１０ａに係止させて固定される。なお、保護板２０はその上面１端部２０ｂをクリーニング時の掃き出し用に切り欠いてある。スリット板１６は、インクをインク吐出部Ａまで毛細管力により引き上げるためにベース１７内に入り込み圧電変換器１８の直下まで達している。
　次に動作について説明する。印刷動作開始時は第１図において、まずヒータ１２に電力が供給されてリザーバ１１内のインク１３が溶融液化する。本実施例の場合、ワックスを主成分とした固体インクが用いられ、吐出特性との関係から所望の粘度を有する１００℃ないし２００℃の所定温度に保持される。こうして液化したインク１３はフィルタ１５を通り、スリット板１６の毛細管力により圧電変換器１８まで上昇する。次に、隣接する圧電変換器１８間の毛細管力、さらには圧電変換器１８とノズル形成基板１９との毛細管力によりインク１３はインク吐出部Ａ内に充填される。また、毛細管力は、第１図において、インク１３がフィルタ１５位まで減少しても、充分インク吐出部Ａまでインクを引き上げられるよう各間隙が設定されている。こうして毛細管力により引き上げられ、保持されたインクは、複数のノズル１９ａいずれにおいても一定の負圧となる。この負圧により、ノズル１９ａからのインクのあふれ出しが無くなる。また、ノズル形成基板１９上のインクが、この負圧で引き込まれるため、ノズル形成基板１９上にインクが溜るのが防止される。よって、吐出インクの飛行曲がりが防げ、安定した吐出が確保される。
　次に、第２図においてフレキシブル基板３１を介して圧電変換器１８の両側に形成された圧電材層１８ａと金属層１８ｂとの間に電圧を印加する。すると、圧電材層１８ａが収縮し、金属層１８ｂは収縮しないため、曲げモーメントが生じ圧電変換器１８の先端は厚さ方向（図面下方向）に変位する。次にこの電圧を解除すると、圧電変換器１８の弾性的な復元力により発生する圧力で、ノズル形成基板１９のノズル１９ａからインクが吐出する。この動作をキャリッジ５の移動及び記録紙１の搬送と共に印刷信号に応じて繰り返すことにより所望の記録を得ることができる。
　そして本実施例では、記録終了後、記録紙１はリザーバ１１の直上を通過し、リザーバ１１より輻射熱を受けて暖められる。これにより、記録紙１に付着したインクが固まるのが遅れ、インクは記録紙１に浸透して高い密着力が得られる。
　第３図は
参考例
　【発明の効果】
　以上述べたように本発明によれば、インク吐出部とインク溜めとを記録紙の搬送方向に並設するとともに、インク溜めをインク吐出部に対して記録紙の搬送方向下手側に配置したことにより、常温で固体のインクを用いた場合はインクを加熱供給するインク溜めが記録紙の搬送方向下手側に記録紙に熱を伝えることができるため、記録後のインクが記録紙に強い密着力で付着し、剥がれのない安定した記録結果が得られる。
　また、インク溜めをインク吐出部に対して記録紙の搬送方向下手側に配置したことにより、記録紙の取り出し開口部側にインク溜めを配置できる、即ち開閉部に近い側にインク溜めを配置できるため、インクの補給がし易い構成を採ることが可能になる。
　更に、インク吐出部とインク溜めとを水平方向に配設した場合は、インク吐出部とインク溜めとの水頭差を小さくでき、インク吐出部からのインクのぼた落ちを容易に防止できる。
【図面の簡単な説明】
　第１図は本発明の一実施例を示すインクジェットヘッドの断面図。
　第２図は第１図に示すインクジェットヘッドの部分詳細構成図。
　第３図は
参考例
１…記録紙
１１…リザーバ
１３…インク
１８…圧電変換器
１９…ノズル形成基板
Ａ…インク吐出部